(57)【要約】　　　（修正有）【課題】地震等によって建物の先端部が越境することなく伸縮し、隙間が生じたり、雨水が内部へ浸入したりするのを確実に防止することができる目地カバーを提供する。【解決手段】目地部４を介して配置されたよう壁等の躯体５の上部に取付けられた回動可能な一方の取付け部材７と、対向する部位の建物２の外壁面等３の躯体に取付けられた回動可能な他方の取付け部材９と、これらの取付け部材に両端部が枢支れた伸縮リンク１１と、この伸縮リンクの一方の取付け部材側よりも他方の取付け部材側が順次高くなるように所定間隔で取付けられた目地カバー支持片１２と、この目地カバー支持片に上方へ突出する後端部が取付けられた下方へ突出する先端部が下部側のほぼ中央部に位置する目地部を覆う複数個の目地カバー１と、他方の取付け部材の上部の外壁面に取付けられた該外壁面と外壁面側の目地カバーの中央部よりも外壁面側を覆う固定目地カバーとで目地カバーを構成している。【選択図】　図２
2004100213.tif 000002
【特許請求の範囲】
【請求項１】
目地部を介して配置されたよう壁等の躯体の上部に取付けられた可動部材の上部が左右方向に回動可能な一方の取付け部材と、この一方の取付け部材と対向する部位の建物の外壁面等の躯体に取付けられた可動部材の上部が左右方向に回動可能な他方の取付け部材と、この他方の取付け部材と前記一方の取付け部材に両端部が枢支された少なくとも２個以上の伸縮リンクと、この少なくとも２個以上の伸縮リンクの一方の取付け部材側よりも他方の取付け部材側が順次高くなるように所定間隔で取付けられた複数個の目地カバー支持片と、この複数個の目地カバー支持片に上方へ突出する後端部が取付けられた下方へ突出する先端部が下部側のほぼ中央部に位置する、前記目地部を覆う複数個の目地カバーと、前記他方の取付け部材の上部の外壁面に取付けられた、該外壁面と外壁面側の目地カバーの中央部よりも外壁面側を覆う固定目地カバーとからなることを特徴とする目地カバー。
【請求項２】
目地部を介して配置されたよう壁等の躯体の上部に取付けられた可動部材の上部が左右方向に回動可能な一方の取付け部材と、この一方の取付け部材と対向する部位の建物の外壁面等の躯体に取付けられた可動部材の上部が左右方向に回動可能な他方の取付け部材と、この他方の取付け部材と前記一方の取付け部材に両端部が枢支された四角枠形状のリンク本体、このリンク本体の一方の対向するバー部材に所定間隔で両端部が枢支された複数個の支持バーとからなる少なくとも２個以上の伸縮リンクと、この少なくとも２個以上の伸縮リンクの一方の取付け部材側よりも他方の取付け部材側が順次高くなるように、前記複数個の支持バーおよび他方の取付け部材側の枢支部に取付けられた複数個の目地カバー支持片と、この複数個の目地カバー支持片に上方へ突出する後端部が取付けられた下方へ突出する先端部が下部側のほぼ中央部に位置する、前記目地部を覆う複数個の目地カバーと、前記他方の取付け部材の上部の外壁面に取付けられた、該外壁面と外壁面側の目地カバーの中央部よりも外壁面側を覆う固定目地カバーとからなることを特徴とする目地カバー。
【請求項３】
目地部を介して配置されたよう壁等の躯体の上部に取付けられた上部にガイドレールを有する可動部材の上部が左右方向に回動可能な一方の取付け部材と、この一方の取付け部材と対向する部位の建物の外壁面等の躯体に取付けられた上部にガイドレールを有する可動部材の上部が左右方向に回動可能な他方の取付け部材と、この他方の取付け部材のガイドレールと前記一方の取付け部材のガイドレールに傾斜状態で両端部がスライド移動可能に取付けられた支持バー、この支持バーのほぼ中央部をほぼ中央部で枢支され両端部が前記他方の取付け部材のガイドレールと前記一方の取付け部材のガイドレールに枢支されたパンタグラフ形状の伸縮リンクと、この少なくとも２個以上の伸縮リンクの一方の取付け部材側よりも他方の取付け部材側が順次高くなるように所定間隔で取付けられた複数個の目地カバー支持片と、この複数個の目地カバー支持片に上方へ突出する後端部が取付けられた下方へ突出する先端部が下部側のほぼ中央部に位置する、前記目地部を覆う複数個の目地カバーと、前記他方の取付け部材の上部の外壁面に取付けられた、該外壁面と外壁面側の目地カバーの中央部よりも外壁面側を覆う固定目地カバーとからなることを特徴とする目地カバー。
【請求項４】
一方の取付け部材の可動部材、他方の取付け部材の可動部材のいずれか一方、あるいは両方が前後方向にスライド移動可能に取付けられていることを特徴とする請求項１ないし３記載の目地カバー。
【発明の詳細な説明】
【０００１】
【発明の属する技術分野】
本発明は建物の外壁面と目地部を介して配置された境界線寄りのよう壁等の躯体間の目地部を覆う目地カバーに関する。
【０００２】
【従来の技術】
従来、この種の目地カバーは建物の外壁面に固定した庇状に構成されている。
【０００３】
【発明が解決しようとする課題】
従来の庇状の目地カバーは地震等によって建物が揺れ動いた場合、その揺れ動いた寸法分だけ外方へ突出するため、特に免震ビル等の建物の外壁面と境界線との寸法が小さい場合には、庇状の目地カバーの先端部が越境するため使用することができないという欠点があった。
【０００４】
本発明は以上のような従来の欠点に鑑み、地震等によって建物が大きく揺れ動いても、先端部が越境することなく伸縮するとともに、隙間が生じたり、雨水が内部へ浸入したりするのを確実に防止して、安全で防水可能に使用することができる目地カバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するため手段】
上記目的を達成するために、本発明は目地部を介して配置されたよう壁等の躯体の上部に取付けられた可動部材の上部が左右方向に回動可能な一方の取付け部材と、この一方の取付け部材と対向する部位の建物の外壁面等の躯体に取付けられた可動部材の上部が左右方向に回動可能な他方の取付け部材と、この他方の取付け部材と前記一方の取付け部材に両端部が枢支された少なくとも２個以上の伸縮リンクと、この少なくとも２個以上の伸縮リンクの一方の取付け部材側よりも他方の取付け部材側が順次高くなるように所定間隔で取付けられた複数個の目地カバー支持片と、この複数個の目地カバー支持片に上方へ突出する後端部が取付けられた下方へ突出する先端部が下部側のほぼ中央部に位置する、前記目地部を覆う複数個の目地カバーと、前記他方の取付け部材の上部の外壁面に取付けられた、該外壁面と外壁面側の目地カバーの中央部よりも外壁面側を覆う固定目地カバーとで目地カバーを構成している。
【０００７】
【発明の実施の形態】
以下、図面に示す実施の形態により、本発明を詳細に説明する。
【０００８】
図１ないし図１２に示す本発明の第１の実施の形態において、１、１、１は免震ビル等の建物２の外壁面３と目地部４を介して配置された境界線寄りのよう壁等の躯体５との間の目地部４を、隙間が生じたり、内部に雨水が浸入したりするのを阻止することができる本発明の目地カバーで、この目地カバー１は前記躯体５の上部に取付けられた、可動部材６の上部が左右方向に回動可能な一方の取付け部材７と、この一方の取付け部材７と対向する部位の前記建物２の外壁面３等の躯体３ａに取付けられた可動部材８の上部が左右方向に回動可能な他方の取付け部材９と、この他方の取付け部材９と前記一方の取付け部材７に両端部が枢支ピン１０、１０で枢支された少なくとも２個以上の伸縮リンク１１、１１と、この少なくとも２個以上の伸縮リンク１１、１１の一方の取付け部材７よりも他方の取付け部材９側が順次高くなるように所定間隔で取付けられた複数個の、本発明の実施の形態では５個の目地カバー支持片１２、１２Ａ、１２Ｂ、１２Ｃ、１２Ｄと、この目地カバー支持片１２、１２Ａ、１２Ｂ、１２Ｃ、１２Ｄに上方へ突出する後端部が取付けられた下方へ突出する先端部が下部側のほぼ中央部に位置する前記目地部４を覆う複数個、本発明の実施の形態では５個の目地カバー本体１３、１３Ａ、１３Ｂ、１３Ｃ、１３Ｄと、前記他方の取付け部材９の上部の外壁面３に形成した凹部１４内に挿入され、複数本のビス１５で固定状態に取付けられた該外壁面３と外壁面側の前記目地カバー１２Ｄの中央部よりも外壁面側を覆う固定目地カバー１６とで構成されている。１７は目地部４を覆う床用目地装置である。
【０００９】
前記一方の取付け部材７は図４に示すように、前記よう壁等の躯体５の上部に複数本のビス１８等によって固定される複数個のビス挿入孔１９が所定間隔で一端部寄りの部位に形成された板状の固定部材本体２０、この固定部材本体２０の他端部の上部に一体形成されたＣ字状の軸受部２１とからなる固定部材２２と、この固定部材２２の軸受部２１に所定量左右方向に回動可能に取付けられた下端部に丸棒状の軸部２３、この丸棒状の軸部２３と一体形成されたアングル状の可動部材本体２４とからなる可動部材６とで構成されている。
【００１０】
前記他方の取付け部材９は図５に示すように、前記建物２の外壁面３に複数本のビス１８によって固定される複数個のビス挿入孔１９が所定間隔で形成された板状の固定部材本体２５、この固定部材本体２５の上端部と一体形成されたアングル状で前記外壁面３との間に軸受部２６を形成することができる軸受部材２７とからなる固定部材２８と、この固定部材２８の軸受部２６に支持される丸棒状の軸２９、この軸２９と一体形成されたアングル状の可動部材本体３０とからなる可動部材８とで構成されている。
【００１１】
前記伸縮リンク１１は図６に示すように、両端部が枢支ピン１０、１０で枢支される四角枠形状のリンク本体３１と、このリンク本体３１の対向するバー部材３１ａ、３１ａのほぼ中央部に両端部が枢支ピン３２、３２で枢支された中央支持バー３３と、この中央支持バー３３の他方側に所定間隔で両端部が枢支ピン３２、３２で枢支された２個の他方側の支持バー３４、３５と、前記中央支持バー３３の一方側の３分の１部分に両端部が枢支ピン３２、３２で枢支された一方側の支持バー３６とで構成されている。
【００１２】
前記複数個の目地カバー支持片１２、１２Ａ、１２Ｂ、１２Ｃ、１２Ｄは図７に示すように、前記伸縮リンク１１、１１の両端部の枢支ピン１０、１０とを結ぶ線上の一方側の支持バー３６、中央支持バー３３、他方側の支持バー３４、３５、他方の枢支ピン取付部にそれぞれ下端部が枢支ピン３７、３７、３７、３７、１０によって枢支される、順次高さが高くなるようにＬ字状に形成されたものが使用されている。
【００１３】
前記固定目地カバー１６は図８に示すように、板状の固定目地カバー本体３８と、この固定目地カバー本体３８の一端部を上方へ折り曲げて形成した、前記凹部１４内へ挿入される複数個のビス挿入孔３９を有する取付片４０と、前記固定目地カバー本体３８の他端部を下方へ折り曲げて形成した水切片４１とで構成されている。
【００１４】
上記構成の目地カバー１は、地震等によって目地部４が広くなるように揺れ動いた場合、少なくとも２個以上の伸縮リンク１１、１１が図９に示すように伸長し、該伸縮リンク１１、１１の一方側の支持バー３６、中央支持バー３３、他方側の支持バー３４、３５の間隔が広がるように移動し、該支持バー３６、３３、３４、３５の移動により目地カバー支持片１２Ａ、１２Ｂ、１２Ｃ、１２Ｄを介して目地カバー１３Ａ、１３Ｂ、１３Ｃ、１３Ｄの重なり部分が小さくなるようにスライド移動して、その揺れ動きを吸収する。
【００１５】
地震等によって目地部４が狭くなるように揺れ動いた場合、少なくとも２個以上の伸縮リンク１１、１１が図１０に示すように収縮し、該伸縮リンク１１、１１の一方側の支持バー３６、中央支持バー３３、他方側の支持バー３４、３５の間隔が狭くなるように移動し、該支持バー３６、３３、３４、３５の移動により目地カバー支持片１２Ａ、１２Ｂ、１２Ｃ、１２Ｄを介して目地カバー１３Ａ、１３Ｂ、１３Ｃ、１３Ｄの重なり部分が大きくなるようにスライド移動して、その揺れ動きを吸収する。
【００１６】
地震等によって建物２の外壁面３とよう壁等の躯体５とが異なる前後方向に揺れ動いた場合、図１１に示すように少なくとも２個以上の伸縮リンク１１、１１の両端部が異なる前後方向に移動したり、一方の取付け部材７の可動部材６や他方の取付け部材９の可動部材８がスライド移動して、その揺れ動きを吸収する。
【００１７】
また、地震等によって建物２の外壁面３とよう壁等の躯体５とが異なる上下方向に揺れ動いた場合には、図１２に示すように一方の取付け部材７と他方の取付け部材９の可動部材６、８が回動して、その揺れ動きを吸収する。
【００１８】
なお、本発明の実施の形態では目地カバー支持片１２Ｄを枢支ピン１０で枢支するものに付いて説明したが、本発明はこれに限らず、支持バー３５に枢支ピン３７によって枢支させ、重なり合うことが可能に形成された目地カバー支持片１２Ｃ、１２Ｂ、１２Ａはそれぞれ支持バー３４、３３、３６に枢支ピン３７によって枢支させ、目地カバー１３をよう壁等の躯体５に固定させてもよい。
【００１９】
【発明の異なる実施の形態】
次に、図１３ないし図３３に示す本発明の異なる実施の形態につき説明する。なお、これらの本発明の異なる実施の形態の説明に当って、前記本発明の第１の実施の形態と同一構成部分には同一符号を付して重複する説明を省略する。
【００２０】
図１３ないし図１５に示す本発明の第２の実施の形態において、前記本発明の第１の実施の形態と主に異なる点は、可動部材８の上部を所定量左右方向に回動可能で、前後方向にスライド移動不能に固定部材本体２５に取付けた他方の取付け部材９Ａを用いた点で、このような他方の取付け部材９Ａを用いて構成した目地カバー１Ａにしても、前記本発明の第１の実施の形態と同様な作用効果が得られる。
なお、本発明の実施の形態では他方の取付け部材９Ａをスライド移動不能にしたものを用いて説明したが、本発明はこれに限らず、他方の取付け部材をスライド移動可能で一方の取付け部材をスライド移動不能にしたものを用いてもよい。
【００２１】
図１６ないし図１８に示す本発明の第３の実施の形態において、前記本発明の第１の実施の形態と主に異なる点は、ほぼ４５度の傾斜で配置された支持バー４２の両端部を一方の取付け部材７の可動部材６、他方の取付け部材９の可動部材８に枢支ピン４３、４３で枢支する伸縮リンク１１Ａを用いた点で、このような伸縮リンク１１Ａを用いて構成した目地カバー１Ｂにしても、前記本発明の第１の実施の形態と同様な作用効果が得られる。
【００２２】
図１９ないし図２１に示す本発明の第４の実施の形態において、前記本発明の第１の実施の形態と主に異なる点は、四角枠形状が６個形成されるパンタグラフ形状の伸縮リンク本体４４と、この伸縮リンク本体４４の中央部の枢支ピン４５に中央部が枢支され、両端部を一方の取付け部材７の可動部材６、他方の取付け部材９の可動部材８に枢支ピン４６、４６で枢支した、該伸縮リンク本体４４を支持する支持バー４７とで構成した伸縮リンク１１Ｂを用いた点で、このような伸縮リンク１１Ｂを用いて構成した目地カバー１Ｃにしても、前記本発明の第１の実施の形態と同様な作用効果が得られる。
【００２３】
図２２ないし図２４に示す本発明の第５の実施の形態において、前記本発明の第４の実施の形態と主に異なる点は、支持バー４７の中央部をパンタグラフ形状の伸縮リンク本体４４の中央部のバー部材４４ａ、４４ａと共用した伸縮リンク１１Ｃを用いた点で、このような伸縮リンク１１Ｃを用いて構成した目地カバー１Ｄにしても、前記本発明の第４の実施の形態と同様な作用効果が得られる。
【００２４】
図２５ないし図２７に示す本発明の第６の実施の形態において、前記本発明の第１の実施の形態と主に異なる点は、軸部２３に支持片４８を介してリップミゾ形鋼形状のレール４９を形成した可動部材６Ａを用いた一方の取付け部材７Ａと、この一方の取付け部材７Ａの可動部材６Ａと同一形状の可動部材８Ａを用いた他方の取付け部材９Ｂと、中央支持バー３３の両端部を延長して前記可動部材６Ａ、８Ａのレール４９、４９にスライド移動可能に支持させた伸縮リンク１１Ｄとを用いた点で、このように構成した目地カバー１Ｅにしても、前記本発明の第１の実施の形態と同様な作用効果が得られる。
【００２５】
図２８ないし図３０に示す本発明の第７の実施の形態において、前記本発明の第６の実施の形態と主に異なる点は、上部が開口するチャンネル状の固定部材５０と、この固定部材５０内をスライド移動できる下部に複数個のローラー５１が取付けられた支持片５２、この支持片５２の上部に固定されたリップミゾ形鋼形状のレール４９とからなる可動部材６Ｂとからなる一方の取付け部材７Ｂと、この一方の取付け部材７Ｂの固定部材５０、可動部材６Ｂと同一形状の固定部材５０と可動部材８Ｂとを用いた他方の取付け部材９Ｃとを用いた点で、このように構成した目地カバー１Ｆにしても、前記本発明の第６の実施の形態と同様な作用効果が得られる。
【００２６】
図３１ないし図３３に示す本発明の第８の実施の形態において、前記本発明の第７の実施の形態と主に異なる点は、レール４９の下部に所定間隔でボールキャスター５３を取付けた可動部材６Ｃを用いた一方の取付け部材７Ｃと、この一方の取付け部材７Ｃの可動部材６Ｃと同一形状の可動部材８Ｃを用いた他方の取付け部材９Ｄとを用いるとともに、レール４９、４９内に支持バー３３の両端部を位置させて枢支ピン４６、４６で枢支した点で、このように構成した目地カバー１Ｇにしてもよい。
【００２７】
【発明の効果】
以上の説明から明らかなように、本発明にあっては次に列挙する効果が得られる。
【００２８】
（１）目地部を介して配置されたよう壁等の躯体の上部に取付けられた可動部材の上部が左右方向に回動可能な一方の取付け部材と、この一方の取付け部材と対向する部位の建物の外壁面等の躯体に取付けられた可動部材の上部が左右方向に回動可能な他方の取付け部材と、この他方の取付け部材と前記一方の取付け部材に両端部が枢支された少なくとも２個以上の伸縮リンクと、この少なくとも２個以上の伸縮リンクの一方の取付け部材側よりも他方の取付け部材側が順次高くなるように所定間隔で取付けられた複数個の目地カバー支持片と、この複数個の目地カバー支持片に上方へ突出する後端部が取付けられた下方へ突出する先端部が下部側のほぼ中央部に位置する、前記目地部を覆う複数個の目地カバーと、前記他方の取付け部材の上部の外壁面に取付けられた、該外壁面と外壁面側の目地カバーの中央部よりも外壁面側を覆う固定目地カバーとで構成されているので、地震等によって建物が揺れ動いた場合には、伸縮リンクの伸縮によって複数個の目地カバーをスライド移動させて、隙間が生じることなく、雨水が浸入しないように目地部を覆うことができる。
したがって、確実かつ安全に目地部を覆うことができる。
【００２９】
（２）前記（１）によって、一方の取付け部材の可動部材と、他方の取付け部材の可動部材とが左右方向に回動するので、建物の外壁面とよう壁等の躯体が異なる上下方向に地震等によって揺れ動いても、その揺れ動きを吸収することができる。
【００３０】
（３）前記（１）によって、建物の外壁面と目地部を介して配置された境界線寄りのよう壁等の躯体との間が狭くても、境界線を越えて目地カバーが突出するのを確実に阻止することができる。
【００３１】
（４）前記（１）によって、少なくとも２個以上の伸縮リンクによって、地震等の揺れ動きが停止すると、元の状態に自動的に戻すことができる。
【００３２】
（５）請求項２、３、４も前記（１）〜（４）と同様な効果が得られる。
【図面の簡単な説明】
【図１】本発明の第１の実施の形態の平面図。
【図２】図１の２−２線に沿う断面図。
【図３】図１の３−３線に沿う断面図。
【図４】本発明の第１の実施の形態の一方の取付け部材の説明図。
【図５】本発明の第１の実施の形態の他方の取付け部材の説明図。
【図６】本発明の第１の実施の形態の伸縮リンクの説明図。
【図７】本発明の第１の実施の形態の目地カバー支持片の取付け状態の説明図。
【図８】本発明の第１の実施の形態の固定目地カバーの説明図。
【図９】本発明の第１の実施の形態の目地部が広くなる動作説明図。
【図１０】本発明の第１の実施の形態の目地部が狭くなる動作説明図。
【図１１】本発明の第１の実施の形態の異なる前後方向の動作説明図。
【図１２】本発明の第１の実施の形態の異なる上下方向の動作説明図。
【図１３】本発明の第２の実施の形態の平面図。
【図１４】図１３の１４−１４線に沿う断面図。
【図１５】本発明の第２の実施の形態の他方の取付け部材の説明図。
【図１６】本発明の第３の実施の形態の平面図。
【図１７】図１６の１７−１７線に沿う断面図。
【図１８】本発明の第３の実施の形態の伸縮リンクの設置状態の説明図。
【図１９】本発明の第４の実施の形態の平面図。
【図２０】図１９の２０−２０線に沿う断面図。
【図２１】本発明の第４の実施の形態の伸縮リンクの設置状態の説明図。
【図２２】本発明の第５の実施の形態の平面図。
【図２３】図２２の２３−２３線に沿う断面図。
【図２４】本発明の第５の実施の形態の伸縮リンクの説明図。
【図２５】本発明の第６の実施の形態の平面図。
【図２６】図２５の２６−２６線に沿う断面図。
【図２７】本発明の第６の実施の形態の一方の取付け部材の説明図。
【図２８】本発明の第７の実施の形態の平面図。
【図２９】図２８の２９−２９線に沿う断面図。
【図３０】本発明の第７の実施の形態の一方の取付け部材の説明図。
【図３１】本発明の第８の実施の形態の平面図。
【図３２】図３１の３２−３２線に沿う断面図。
【図３３】本発明の第８の実施の形態の伸縮リンクの設置状態の説明図。
【符号の説明】
１、１Ａ、１Ｂ、１Ｃ、１Ｄ、１Ｅ、１Ｆ、１Ｇ：目地カバー、
２：建物、　　　　　　　３：外壁面、
４：目地部、　　　　　　５：よう壁等の躯体、
６、６Ａ、６Ｂ、６Ｃ：可動部材、
７、７Ａ、７Ｂ、７Ｃ：一方の取付け部材、
８、８Ａ、８Ｂ、８Ｃ：可動部材、
９、９Ａ、９Ｂ、９Ｃ、９Ｄ：他方の取付け部材、
１０：枢支ピン、
１１、１１Ａ、１１Ｂ、１１Ｃ、１１Ｄ：伸縮リンク、
１２、１２Ａ、１２Ｂ、１２Ｃ、１２Ｄ：目地カバー支持片、
１３、１３Ａ、１３Ｂ、１３Ｃ、１３Ｄ：目地カバー本体、
１４：凹部、　　　　　　１５：ビス、
１６：固定目地カバー、　１７：床用目地装置、
１８：ビス、　　　　　　１９：ビス挿入孔、
２０：固定部材本体、　　２１：軸受部、
２２：固定部材、　　　　２３：軸部、
２４：可動部材本体、　　２５：固定部材本体、
２６：軸受部、　　　　　２７：軸受部材、
２８：固定部材、　　　　２９：軸、
３０：可動部材本体、　　３１：リンク本体、
３２：枢支ピン、　　　　３３：中央支持バー、
３４、３５：他方側の支持バー、
３６：一方側の支持バー、３７：枢支ピン、
３８：固定目地カバー本体、
３９：ビス挿入孔、　　　４０：取付片、
４１：水切片、　　　　　４２：支持バー、
４３：枢支ピン、　　　　４４：伸縮リンク本体、
４５：中央部の枢支ピン、４６：枢支ピン、
４７：支持バー、　　　　４８：支持片、
４９：レール、　　　　　５０：固定部材、
５１：ローラー、　　　　５２：支持片、
５３：ボールキャスター。
【図１】
2004100213.tif 000003
【図２】
2004100213.tif 000004
【図３】
2004100213.tif 000005
【図４】
2004100213.tif 000006
【図５】
2004100213.tif 000007
【図６】
2004100213.tif 000008
【図７】
2004100213.tif 000009
【図８】
2004100213.tif 000010
【図９】
2004100213.tif 000011
【図１０】
2004100213.tif 000012
【図１１】
2004100213.tif 000013
【図１２】
2004100213.tif 000014
【図１３】
2004100213.tif 000015
【図１４】
2004100213.tif 000016
【図１５】
2004100213.tif 000017
【図１６】
2004100213.tif 000018
【図１７】
2004100213.tif 000019
【図１８】
2004100213.tif 000020
【図１９】
2004100213.tif 000021
【図２０】
2004100213.tif 000022
【図２１】
2004100213.tif 000023
【図２２】
2004100213.tif 000024
【図２３】
2004100213.tif 000025
【図２４】
2004100213.tif 000026
【図２５】
2004100213.tif 000027
【図２６】
2004100213.tif 000028
【図２７】
2004100213.tif 000029
【図２８】
2004100213.tif 000030
【図２９】
2004100213.tif 000031
【図３０】
2004100213.tif 000032
【図３１】
2004100213.tif 000033
【図３２】
2004100213.tif 000034
【図３３】
2004100213.tif 000035